(57)【要約】【課題】  自動車空調装置のための半田づけされた凝縮器を、簡単かつ安価に形成することができ、かつその機能において、特に乾燥とフィルタリングに関して損なわれることのないように改良する。【解決手段】パイプ／フィンブロックと、パイプの端部を収容する、両側に配置された収集パイプと、収集パイプの１つに対して平行に配置されている収集器とを有し、前記収集器は２つの開口部を介して隣接する収集パイプと流体接続されており、かつ乾燥器／フィルタカートリッジを収容する、自動車空調装置のための半田づけされた凝縮器において、収集器（１）が、第１の半田づけされた閉鎖部分（５）を有しており、乾燥器／フィルタカートリッジ（７）が、機械的に第１の閉鎖部分（５）と結合されており、かつ第２の閉鎖部分（６）が取り外しできないように収集器（１、４）と結合されている。
2005513408.tif 000002
【特許請求の範囲】
【請求項１】
パイプ／フィンブロックと、パイプの端部を収容する、両側に配置された収集パイプと、収集パイプの１つに対して平行に配置されている収集器とを有し、前記収集器は２つの開口部を介して隣接する収集パイプと流体接続されており、かつ乾燥器／フィルタカートリッジを収容する、自動車空調装置のための半田づけされた凝縮器において、
収集器（１）が、第１の半田づけされた閉鎖部分（５）を有しており、
乾燥器／フィルタカートリッジ（７）が、機械的に第１の閉鎖部分（５）と結合されており、かつ
第２の閉鎖部分（６）が取り外しできないように収集器（１、４）と結合されていることを特徴とする、凝縮器。
【請求項２】
乾燥器／フィルタカートリッジ（７）が、底側の閉鎖部分（５）に固定されていることを特徴とする請求項１に記載の凝縮器。
【請求項３】
乾燥器／フィルタカートリッジ（７）が、クリップ結合（１９、２２）を介して閉鎖部分（５）と結合されていることを特徴とする請求項１または２に記載の凝縮器。
【請求項４】
クリップ結合は、閉鎖部分（５）内へ半田づけされたアンカー（１９）を有しており、前記アンカーは乾燥器／フィルタカートリッジ（７、８）のばね弾性を有する係止部材（２２）によって後方を把持されることを特徴とする請求項３に記載の凝縮器。
【請求項５】
乾燥器／フィルタカートリッジ（７）は、底部分（９）を有するプラスチックケージ（８）からなり、前記底部分に係止部材（２２）が形成されていることを特徴とする請求項４に記載の凝縮器。
【請求項６】
乾燥器／フィルタカートリッジ（７）が、開口部（２、３）の間の領域に、一周するシールリップ（１５）を有していることを特徴とする請求項１から５のいずれか１項に記載の凝縮器。
【請求項７】
プラスチックケージ（８）の、シールリップ（１５）の下方の領域において、周面側にふるい（１６）が配置されていることを特徴とする請求項６に記載の凝縮器。
【請求項８】
乾燥器／フィルタカートリッジ（７）と収集器（４）の内壁との間に、間隙（１２）が残されており、前記間隙が隆起部状の間隔ホルダ（１３、１４）によって部分的に橋渡しされていることを特徴とする請求項１から７のいずれか１項に記載の凝縮器。
【請求項９】
請求項１から８のいずれか１項に記載の凝縮器を形成する方法において、
−まず、パイプフィンブロック、収集パイプ、収集器および１つだけの閉鎖部分（５）を有する凝縮器が、炉内で半田付けされ、
−次に予め組み立てられた乾燥器／フィルタカートリッジ（７）が、開放した端面を通して収集器（１、４）内へ挿入されて、閉鎖部分（５）に固定され、かつ
−最後に収集器（４）が第２の閉鎖部分（６）によって取り外しできないように閉鎖される、
ことを特徴とする、凝縮器を形成する方法。
【発明の詳細な説明】
【技術分野】
【０００１】
本発明は、欧州公開公報ＥＰ０８６７６７０Ａ２によって知られているような、特許請求の範囲の請求項１の前提概念に記載の半田付けされた凝縮器（すなわちパイプ／フィンブロックと、パイプの端部を収容する、両側に配置された収集パイプと、収集パイプの１つに対して平行に配置されている収集器とを有し、前記収集器は２つの開口部を介して隣接する収集パイプと流体接続されており、かつ乾燥器／フィルタカートリッジを収容する、自動車空調装置のための半田づけされた凝縮器）に関する。
【背景技術】
【０００２】
既知の凝縮器においては、乾燥器／フィルタカートリッジが半田付けプロセス後に収集器内へ挿入されて、そこで位置決めされ、次に収集器がねじ結合によって圧密に閉鎖される。乾燥器／フィルタカートリッジは、半田付けプロセスの高い温度にさらされないので、プラスチックから形成され、クリップ結合によって閉鎖カバーと結合され−それによって乾燥器／フィルタカートリッジは一方では閉鎖カバーと一緒に取り付けることができるが、また−修理または保守の場合に−閉鎖カバーと一緒に交換することができる。
【０００３】
この種の凝縮器の構造と機能は、ドイツ公開公報ＤＥ−Ａ４２３８８５３にさらに正確に記載されている。
【０００４】
この種の半田づけされた冷媒凝縮器の展開の途上で、欧州公開公報ＥＰ−Ａ１０７９１８６においてはすでに、交換できない乾燥器カートリッジが提案されており、それは収集器内に配置されており、その収集器は端面側においてそれぞれ半田付けされた、ないしは溶接されたカバーによって、すなわち取り外しできない結合によって閉鎖されている。従ってこの種の乾燥器は、破壊なしで交換することはできない。この既知の交換できない乾燥器の欠点は、それが収集器内に固定されておらず、収集器の内部で移動をすることができることである。それが、望ましくない摩耗と騒音をもたらす。
【特許文献１】欧州公開公報ＥＰ０８６７６７０Ａ２
【特許文献２】ドイツ公開公報ＤＥ−Ａ４２３８８５３
【特許文献３】欧州公開公報ＥＰ−Ａ１０７９１８６
【発明の開示】
【発明が解決しようとする課題】
【０００５】
本発明の課題は、冒頭で挙げた種類の凝縮器（すなわちパイプ／フィンブロックと、パイプの端部を収容する、両側に配置された収集パイプと、収集パイプの１つに対して平行に配置されている収集器とを有し、前記収集器は２つの開口部を介して隣接する収集パイプと流体接続されており、かつ乾燥器／フィルタカートリッジを収容する、自動車空調装置のための半田づけされた凝縮器）を、簡単かつ安価に形成することができ、かつその機能において、特に乾燥とフィルタリングに関して損なわれることのないように、改良することである。
【課題を解決するための手段】
【０００６】
この課題の解決は、この分野の凝縮器について、特許請求の範囲の請求項１の特徴から得られる。
【発明を実施するための形態】
【０００７】
収集器が、第１の半田づけされた閉鎖部分を有しており、乾燥器／フィルタカートリッジが、機械的に第１の閉鎖部分と結合されており、かつ第２の閉鎖部分が取り外しできないように収集器と結合されている。
【０００８】
交換できない乾燥器／フィルタカートリッジのためのこの特徴の組合わせの利点は、一方では、乾燥器／フィルタカートリッジのために安価なプラスチックハウジングが使用され、収集器のためのパイプが単純な半製品パイプから付加的な処理なしで形成することができ、かつ乾燥器／フィルタカートリッジが収集器内で確実に位置決めされて、固定されるので、冷媒の乾燥とフィルタリングのためのその完璧な機能が保証されていることにある。
【０００９】
本発明の他の好ましい形態は、従属請求項から明らかにされる。その場合に乾燥器／フィルタカートリッジをクリップ結合によって底に固定することは、このクリップ結合の第１の金属的な部分、アンカー部分が、凝縮器の半田プロセスによってすでに形成されて存在している限りにおいて、効果的である。プラスチックから形成されて、底に射出成形された係止部材を有している乾燥器／フィルタカートリッジは、ただ収集パイプ内へ挿入して、底にクリップ止めするだけでよい。これは簡単かつ一義的な組み立てをもたらし、それがまた製造コストを低下させる。乾燥器／フィルタカートリッジを組み立てて収集器内へ固定した後に、収集器はカバープレートの挿入と半田付けによって閉鎖される。しかし、閉鎖は、他の取り外しできない材料による結合によって、たとえば溶接または接着、突っ張りあるいはフランジ付けによっても、もたらすことができる。
【００１０】
本発明の他の形態においては、３つの互いに連続する処理ステップにおいて、収集器を炉内で半田付けし、クリップ止めし、かつ閉鎖することによって、安価に組み立てて形成することを内容とする方法が効果的である。この方法も同様に、製造コストの減少に寄与する。
【実施例】
【００１１】
本発明の実施例を図面に示し、以下で詳細に説明する。
【００１２】
図１は、従来技術に基づく、たとえばＤＥ−Ａ４２３８８５３に記載の、図示されていない冷媒凝縮器のための収集器１を示している。この種の凝縮器は、凝縮器モジュールとも称される。というのは、収集器が凝縮器内に構造的に一体化されており、すなわち収集器が２つの収集パイプの１つに対して並列に配置されて、かつそれと冷媒接続されているからである。従って収集器１は、冷媒流入開口部２と冷媒流出開口部３を有している。従って収集器１はこの２つの開口部を介して、図示されていない凝縮器の収集パイプの冷媒側と接続されている。収集器１は、アルミニウムパイプ４からなり、そのアルミパイプはその肉厚と強度に関して、凝縮器の駆動圧力に適合されている。パイプ４は、端面側において、底に設けられたディスク５と上方の端部に設けられたディスク６によって閉鎖されている。パイプ４の内部には、乾燥器／フィルタカートリッジ７が配置されており、それはケージ状のプラスチックハウジング８からなり、かつその中には図示されていない乾燥剤顆粒が収容されている。ケージ状のプラスチックハウジング８は、閉成された空間を形成しており、その空間は下方へ向かっては底部分９によって、そして上方へ向かってはクリップ止めされた蓋１０によって終端を形成されており、もちろんスリット形状の開口部１１によって上方へ向かって開放されている。ハウジング８とパイプ４との間には、リング状の間隙１２が残されている。プラスチックケージ８は、その上方の領域内に一周する隆起状の肥厚部１３を有しており、その下方の領域内、すなわち流出開口部３の下方に、同様な環状隆起部１４を有しており、それら両者がパイプ４の内壁と接触している。それによってハウジング４内におけるプラスチックケージ８の方位づけが保証されている。２つの開口部２と３の間の領域内において、プラスチックハウジング８に一周するシールリップ１５が射出形成されており、そのシールリップはプラスチックハウジング８をパイプ４の内壁に対してシールする。このシールリップ１５の高さから底領域９に至るまで、プラスチックハウジング８は、微小の粒子の形状の不純物をハウジング８内に留めるために、細かいメッシュのふるい１６によって包囲（または被覆）されている。従ってこのふるい１６は、フィルタとして機能する。
【００１３】
収集器１の底領域内の、符号Ｘで示す詳細が、図２に示されており、かつ特に底プレート５への乾燥器／フィルタカートリッジ７の固定を示している。底プレート５は、パイプ４内へ半田付けされており、すなわちその底プレートは周側においてパイプ４との材料による、取り外しできない結合を形成しており、底プレート５は中央の領域においてほぼ矩形のスロット１７を有しており、そのスロットは図２ａにもそのものとして示されている。このスロット１７内へ、アンカー部分１９の同じ断面の差込み部分１８がぴったりと嵌め込まれて、半田付けされている。このアンカー部分１７は、−図２ａに破線で示すように、−平坦な金属薄板部分であって、直径方向に対向する２つのフック形状の突出部２０、２１を有している。底部分９の下方において、プラスチックハウジング８には、ばね弾性を有し、下方へ突出する係止部材２２が一周して射出形成されている。突出部２０、２１は、その上方の側に斜面２４、２５を有している。アンカー部分１９は、凝縮器が半田付けされて炉から出て来るときに、すでに底プレート５と共に収集器と半田付けされている。すなわちその場合にパイプ４は、−図１の図面の表示に反して−上方へ向かってまだ開放されており、すなわちプレート６はまだ半田付けされていない。その後この開口部を通して完全な乾燥器／フィルタカートリッジ７が、従って充填された顆粒およびフィルタふるい１６と共にパイプ４内へ、弾性的な係止部材２２の最も下の端部が斜面２４と２５上を滑り移動して、それによって互いに離れるように開かれるまで、挿入される。その後乾燥器／フィルタカートリッジ７は、底プレート５の方向へさらに下方へ押圧されて、ついには係止部材２２が内側へ嵌りこんで、フック形状の突出部２０と２１の後方へ相補形状で嵌り込む。その場合に乾燥器／フィルタカートリッジ７が下方の底部分９においてアンカー部材１９上に支持されて、係止部材２２によってパイプ４の長手軸の方向に移動しないように固定される。従ってアンカー部分１９と係止部材２２は、クリップ結合を形成する。
【００１４】
乾燥器／フィルタカートリッジ７がこのクリップ結合によってパイプ４内に堅固に位置決めされた後に、ディスク６がパイプ４内へ挿入されて、半田付けされ、あるいは他の方法で取り外しできないようにパイプ４と圧密に結合される。従って凝縮器が完全に組み立てられる。
【図面の簡単な説明】
【００１５】
【図１】冷媒凝縮器のための収集器を示している。
【図２】収集器の底領域の詳細を示している。
【図２ａ】収集器の底領域の詳細を示している。
【符号の説明】
【００１６】
１  収集器
２  冷媒流入開口部
３  冷媒流出開口部
４  アルミニウムパイプ
７  乾燥器／フィルタカートリッジ
８  プラスチックハウジング
１０  蓋
１１  開口部
１４  環状隆起部
１５  シールリップ
１６  ふるい
１９  アンカー部分
２０、２１  突出部
２２  係止部材
【図１】
2005513408.tif 000003
【図２】
2005513408.tif 000004
【図２ａ】
2005513408.tif 000005
【国際調査報告】
2005513408.tif 000006
2005513408.tif 000007
2005513408.tif 000008
2005513408.tif 000009
2005513408.tif 000010
2005513408.tif 000011